(57)【要約】レンズのない検眼鏡（２１，４１）は、第１の光路（ａ）を画定する手段（２２、４２）と、第１の光路（ａ）からの光を第２の光路（ｂ）に沿って方向転換し、第１の窓（２２、２４）を通って被験者の目（２９、４９）に出射させるよう配置される反射手段（２３、４３）と、第２の光路（ｂ）に対して略平行に延在する路（ｄ）に沿ってユーザが被験者の目（２９、４９）を見る第２の窓（２５、４５）と、第２の窓（２５、４５）を介して検眼鏡から出射されるあらゆる光を防止または少なくとも実質的に減少する、第１の光路（ａ）と第２の窓（２５、４５）との間に配置されるバフル（２３、２６；４３、４６）と、を備える。したがって、第２の窓（２５）を通ってユーザの目（３０、５０）に入射されるあらゆる光を除去または実質的に減少し、よってグレアを実質的に減少し、被験者の目（２９、４９）に対するユーザの視界が向上する。
2005523063.tif 000002
【特許請求の範囲】
【請求項１】
第１の光路（ａ）を画定する手段（２２、４２）と、
前記第１の光路（ａ）からの光を第２の光路（ｂ）に沿って方向転換し、第１の窓（２４、４４）を通って被験者の目（２９、４９）に出射させるよう配置される反射手段（２３、４３）と、
前記第２の光路（ｂ）に対して略平行に延在する路（ｄ）に沿ってユーザが被験者の目（２９、４９）を見るための第２の窓（２５、４５）と、
前記第２の窓（２５、４５）を通って検眼鏡から出射されるあらゆる光を防止または少なくとも実質的に減少する、第１の光路（ａ）と第２の窓（２５、４５）との間に配置されるバフル（２３、２６；４３、４６）と、
を含む、レンズのない検眼鏡（２１、４１）。
【請求項２】
前記第１の光路（ａ）を画定する手段（２２、４２）が管を含む、請求項１記載のレンズのない検眼鏡（２１、４１）。
【請求項３】
前記管（２２、４２）の少なくとも外面が不透明である、請求項２記載のレンズのない検眼鏡（２１、４１）。
【請求項４】
前記管（２２、４２）の内面が非反射型である、請求項２または３記載のレンズのない検眼鏡（２１、４１）。
【請求項５】
前記反射手段（２３、４３）がミラーを含む、請求項１〜４のいずれかに記載のレンズのない検眼鏡（２１、４１）。
【請求項６】
前記ミラー（２３、４３）が半円形である、請求項５記載のレンズのない検眼鏡（２１、４１）。
【請求項７】
前記反射手段（２３、４３）が、前記第１の光路（ａ）および／または前記第２の光路（ｂ）に対して約４５°に傾斜している、請求項１〜６のいずれかに記載のレンズのない検眼鏡（２１、４１）。
【請求項８】
前記反射手段（２３、４３）がプリズムを含む、請求項１〜４のいずれかに記載のレンズのない検眼鏡（２１、４１）。
【請求項９】
前記第１の窓（２４、４４）がアパーチャである、請求項１〜８のいずれかに記載のレンズのない検眼鏡（２１、４１）。
【請求項１０】
前記第２の窓（２５、４５）がアパーチャである、請求項１〜９のいずれかに記載のレンズのない検眼鏡（２１、４１）。
【請求項１１】
前記反射手段（２３、４３）がバフル（２３、２６；４３、４６）に取り付けられる、請求項１〜１０のいずれかに記載のレンズのない検眼鏡（２１、４１）。
【請求項１２】
前記バフル（２３、２６）がフランジ（２６）を含む、請求項１〜１１のいずれかに記載のレンズのない検眼鏡（２１、４１）。
【請求項１３】
前記バフル（４３、４６）がブロック（４６）を含む、請求項１〜１１のいずれかに記載のレンズのない検眼鏡（２１、４１）。
【請求項１４】
使用中、前記バフル（２３、２６；４３、４６）が、前記第１の光路（ａ）に沿って通る実質的にあらゆる光が、前記第２の窓（２５、４５）からどの光もまたは実質的にどの光も出射されずに前記第２の光路（ｂ）に沿って方向転換されることを確実にする、請求項１〜１３のいずれかに記載のレンズのない検眼鏡（２１、４１）。
【発明の詳細な説明】
【技術分野】
【０００１】
本発明は、検眼鏡に関し、特に、限定的ではないが、単純で、製造が安価な検眼鏡に関する。
【発明の背景】
【０００２】
検眼鏡は通常、人間および動物の網膜を検査するために用いられる複雑な光学機器である。一般的には、検眼鏡は２０以上のレンズおよび３〜６個のライトを有するため、複雑で、製造し購入するには高価である。
【０００３】
公知のタイプの検眼鏡の例は、英国公開特許（ＧＢ−Ａ）第２２３５３０８号、英国公開特許（ＧＢ−Ａ）第２２０４１４４号、国際公開公報（ＷＯ−Ａ）第２０００／３０５２７号およびドイツ公開特許（ＤＥ−Ａ）第３７１４０４１号に開示されている。
【０００４】
検眼鏡は、医師、検眼医、獣医、医療従事者およびその訓練生の日々の仕事において日常的に使用されている。
【０００５】
しかしながら、この機器は高価であるため、実際の使用には限られた数だけが利用可能であり、使用することを必要とする、例えば、医師各一名に検眼鏡を一台ずつ提供する方法は勿論ない。
【０００６】
これら機器は不足しており、かつ、複雑であるため、学生、更には専門家でない医療スタッフには機器の正しい使用法を学ぶ機会が与えられない場合が多い。
【０００７】
この状況は、発展途上国および第三世界各国においてより悪く、いくつかの地域では、単に機器が購入または製造するに非常に高価であるため、地域医師または救援隊員が利用できる検眼鏡がない。
【０００８】
したがって、病院、眼鏡技師、および獣医に対する限られた数の検眼鏡の問題は、利用可能な場合に同機器を用いる関連の専門家が不足していることと共に、潜在的に深刻であり、機器の複雑性および製造費を減少させるあらゆる試みが求められる。
【０００９】
ＢＭＪの２０００年１２月２３〜３０日、第３２１巻、第１５５７頁〜第１５５９頁に記載される文書「自家製検眼鏡の製造および使用法；ヘルムホルツの１５０周年記念」（Manufacture and Use of Homemade Ophthalmoscopes; a 150th Anniversary Tribute to Helmholtz）ＢＭＪ出版、２０００年１２月２３〜３０日、Vol.321 p.1557-1559に簡単な検眼鏡が開示されている。この機器は、標準的な検眼鏡よりもはるかに簡単で生産がより安価であるが、網膜を観察するための視界用穴が観察者の目にグレア（まぶしいぎらぎらする光）を生じさせ、それにより視界を大幅に減少させるといった重要な問題を有する。
【００１０】
したがって、上述の文書に開示される簡単な検眼鏡と一般に関連する問題をなくす、または少なくとも実質的に減らす安価で簡単な検眼鏡を生産する方法が求められる。
【００１１】
したがって、本発明の目的は、上述の公知のタイプの検眼鏡と関連する不都合な点を克服する、または少なくとも実質的に減らすことである。
【００１２】
したがって、本発明は、第１の光路を画定する手段と、第１の光路からの光を第２の光路に沿って方向転換し、第１の窓を通って検眼鏡から被験者の目に出射させるよう配置される反射手段と、第２の光路に対して略平行に延在する路に沿ってユーザが被験者の目を見るための第２の窓と、第２の窓を通って検眼鏡から出射されるあらゆる光を防止または少なくとも実質的に減少させる、第１の光路と第２の窓との間に配置されるバフルと、を含む、レンズのない検眼鏡を提供する。
【００１３】
検眼鏡は、別の構成要素として装置の他の構成要素に組み込まれてもよく、または、別個の取り外し可能な光源を受容するよう配置されてもよい光源を備え得る。
【００１４】
第１の光路を画定する手段は管でもよく、ここで、少なくとも管の外面が不透明で内面が非反射型であることが好ましい。
【００１５】
反射手段は、好ましくは半円形で第１の光路および／または第２の光路に対して約４５°の傾斜があるミラーを含んでもよい。あるいは、反射手段はプリズムを含んでもよい。
【００１６】
第１の窓は、例えば、第１の光路を画定する管のアパーチャでもよい。このようなアパーチャのどれも円形であることが好ましい。第２の窓は、閉じている管の端、例えば、管の天井部に設けられてもよい。このときも第２の窓は円形であることが好ましい。
【００１７】
反射手段は、フランジまたはブロックのいずれかであることが好ましいバフルと結合されてもよい。ブロックの場合、反射手段は上に取り付けられることが好ましい。
【００１８】
バフルの位置決めおよび寸法は、第２の窓に僅かにだけ、または全く光が到達しないことを確実にし、その結果、観察者は第２の窓を通るグレアを全く、またはごく僅かしか経験しない。
【００１９】
したがって、上述したように、本発明による検眼鏡のレンズのない性質により、使用することが簡単で、第２の窓を介して検眼鏡から出射され観察者の目に入射されるあらゆる望ましくない光を防止、または少なくとも実質的に減少させることにより、あらゆるグレアを防止、または少なくとも実質的に減少させる、安価な製品が提供されることが分かるであろう。
【００２０】
図面の詳細な説明
まず、図面の図１〜図５を参照すると、１として一般的に示される従来技術のレンズのない検眼鏡は、図３〜図５に示すように、第１の光路ａを画定する管２と、楕円形のミラー３の形態の反射手段と、管２の側壁にある円形のアパーチャの形態の第１の窓４と、管２の楕円形の天井部７にある円形のアパーチャの形態の第２の窓５と、グレアディスク６とを備え、レンズは使用されない。
【００２１】
検眼鏡１は、ミラー３が管２の傾斜のある天井部７の下側となるよう配置され、第２の窓５はミラー３の略中心を通る。
【００２２】
ミラー３は、図３で示されるように光源８から第１の光路ａに沿って通る光を第２の光路ｂに沿って方向転換させ、管２から第１の窓４を通って被験者の目９に出射させる。
【００２３】
ユーザ１０は、第２の窓５により第２の光路ｂに対して略平行に延在し、一致する路の方向に被験者の目９を見ることができる。
【００２４】
しかしながら、図２、３および５から分るように、この設計では、第２の窓５が観察するユーザの目１０にｃとして図示されるグレアを生じさせ、それにより被験者の目９の視界を大幅に減少させるといった問題を有し、これは光路ａからのいくらかの光が第２の窓５から出射されて観察者の目１０において望ましくないグレアを生じさせるためである。
【００２５】
このグレアを減少させるために、グレアディスク６が管２の傾斜のある天井部７の上面に固定され、中心に位置する円形のアパーチャ１１が第２の窓５の円形のアパーチャと合わされる。その結果、観察者の目１０におけるグレアを減少する試みにおいて、中央アパーチャ１１の領域でのグレアディスク６の厚さが２つのアパーチャ５および９の合計の厚さを増加させる。
【００２６】
しかしながら、簡単に上述したように、このような改善策は成功しておらず、観察するユーザは管の天井部７およびグレアディスク６のそれぞれの合わされたアパーチャ５、１１を通る過度の量のグレアを依然として経験する。
【００２７】
図２から分るように、光源８は、不透明でありマットな黒で非反射型内面を好ましくは有する管２の底端に挿入されるライトペン１２によって提供される。
【００２８】
図１〜図５に関して上述した公知の検眼鏡１と関連するこのグレアをなくす、または少なくとも実質的に減少させるために、図６および図７〜９にそれぞれ示される本発明の検眼鏡の２つの態様に関し、以下により詳細に記載するように、本発明によるレンズのない検眼鏡では第１の光路と第２の窓との間にバフルが配置される。
【００２９】
したがって、図６を参照すると、２１として一般的に示される第１の態様の検眼鏡は、上端のみが示される第１の光路ａを画定する不透明な管２２と、平坦な半円形ミラー２３の形態の反射手段と、管２２の側壁にある円形のアパーチャとして形成される第１の窓２４と、管２２の天井部２７にある円形のアパーチャの形態の第２の窓２５と、第１の光路ａと第２の窓２５との間に位置するフランジの形態にあるバフル２６とを有する。見て分るように、レンズは使用されていない。
【００３０】
光源（図示せず）、例えば、図２に示すライトペン１２の光源８から第１の光路ａに沿って通る光は、４５°の角度のミラー２３で９０°に第２の光路ｂに沿って反射され、第１の窓２４を通って被験者の目２９に入射される。
【００３１】
ミラー２３は、フランジバフル２６の下方に延在する延長部３１に４５°で取り付けられる。
【００３２】
観察するユーザの目３０は、第２のおよび第１の窓２５、２４を通って延在する路ｄに沿って被験者の目２９の網膜を見ることができ、路ｄは第２の光路ｂに対して略平行である。
【００３３】
バフル２６、およびその延長部３１のある程度が、第１の光路ａと第２の視界窓２５との間に位置することにより、さもなければ窓２５を通ってユーザの目３０に入射されるあらゆる光が除去されるか、または少なくとも実質的に減少され、それによりグレアを実質的に減少し、被験者の目２９に対するユーザの視界を高める。
【００３４】
光路ｂに沿って方向転換されないスプリアス光は、管２２のマットな黒の内面によって実質的に吸収される。
【００３５】
ここで図７〜９に示される第２の態様の検眼鏡４１を参照すると、平坦なミラー４３、管４２の側壁にある円形のアパーチャの形態の第１の窓４４、管４２の天井部４７にある円形のアパーチャの形態の第２の窓４５、および、ミラー４３が取り付けられ、更に、管の天井部４７に取り付けられるブロック４６とともに、第１の光路ａを画定する管４２の上端だけが示される。ここでもまた、レンズを使用しない。
【００３６】
管４２によって画定される第１の光路ａに沿って通る光源からの光は、ミラー４３によって光路ｂに沿って９０°に反射し、被験者の目４９に入射する。
【００３７】
目４９は、第２および第１の窓４５、４４を通って延在する路ｄに沿って、観察するユーザの目５０で見ることができる。
【００３８】
ブロック４６とミラー４３の組み合わせ、並びにその寸法、特にブロック４６の厚さは、第１の光路ａと第２の視界窓４５との間のバフルとして機能するため、第２の視界窓４５を介してユーザの目に入射するあらゆるグレアを除去し、または少なくとも実質的に減少し、このようにして、そうなることを防止する。
【００３９】
図６に関して上述した第１の態様の場合のように、この第２の態様も、図６および図７に示すように、第２の光路ｂに対して略平行な路ｄに沿って被験者の目４９に対するユーザの目５０の視界能力を向上させる。
【００４０】
図８および９に関して上述した第２の態様のミラー４３および支持ブロック４６が、図６に関して上述した第１の態様のミラー２３およびフランジ付きバフル２６と置き換えられてもよいことが理解されるべきである。
【００４１】
したがって、本発明による検眼鏡２１、４１は、観察するユーザの目におけるあらゆるグレアを除去または少なくとも実質的に減少させ、被験者の目に対するユーザの視界を劇的に改善し、その一方で、レンズの使用をなくし、それにより製造費を相当減少させることが分るであろう。
【図面の簡単な説明】
【００４２】
【図１】従来技術の検眼鏡の部分拡大図である。
【図２】取り外し可能な光源が設けられた、組み立てられた状態の図１の従来技術の検眼鏡を示す図である。
【図３】使用時の、図１および２の従来技術の検眼鏡を示す図である。
【図４】使用時の、図１および２の従来技術の検眼鏡を示す図である。
【図５】使用時の、図１および２の従来技術の検眼鏡を示す図である。
【図６】使用時の、本発明による検眼鏡の第１の態様の部分図である。
【図７】使用時の、本発明による検眼鏡の第２の態様の部分図である。
【図８】使用時の、本発明による検眼鏡の第２の態様の部分図である。
【図９】使用時の、本発明による検眼鏡の第２の態様の部分図である。
【図１】
2005523063.tif 000003
【図２】
2005523063.tif 000004
【図３】
2005523063.tif 000005
【図４】
2005523063.tif 000006
【図５】
2005523063.tif 000007
【図６】
2005523063.tif 000008
【図７】
2005523063.tif 000009
【図８】
2005523063.tif 000010
【図９】
2005523063.tif 000011
【国際調査報告】
2005523063.tif 000012
2005523063.tif 000013